(57)【特許請求の範囲】
【請求項１】
連続運転方式の熱処理炉において使用され、該熱処理炉の外部、あるいは２個の連続した熱処理炉の間に設置される材料の支持装置であって、
同一の支持部材に支持される少なくとも２個の支持要素が存在し、これらの支持要素は、互いから最も離れている部分が同一円周上に位置するよう、前記支持部材に対して対称的に配置され、
さらに前記支持部材は、その軸を中心として回転することにより、支持位置に配置された支持要素と交換位置に配置されていた他の支持要素とが位置を交代するよう設置され、
前記支持要素の周囲には、該支持要素の相互位置が交換される間も、前記熱処理炉で処理される材料を少なくとも部分的に支持する手段が配備され、
前記支持要素は、アクチュエータ装置と少なくとも１個の軸受けとに接続され、
該軸受けは、ロック位置から軸受け交換位置まで回転可能に取り付けられ、軸受けハウジングの一部を構成する締結要素を有し、
前記支持要素は、交換位置から支持位置へ移動し始めるのと実質的に同時にアクチュエータ装置によって回転し始め、該支持要素が支持位置へ到達する時に、該支持要素の周速は支持される材料の移動速度と実質的に等しくなり、これと実質的に同時に、前記支持要素と前記支持される材料とが機械的に接触し、該支持要素が支持位置にある間、前記アクチュエータ装置をスイッチオフし、該支持要素は、前記支持される材料から与えられる周速のみによって回転し、該支持要素を支持位置から離す前に、前記アクチュエータ装置を再度スイッチオンし、これによって該支持要素は、該支持要素の周速と前記支持される材料の移動速度との速度差がない状態で前記支持位置から離れることを特徴とする材料の支持装置。
【請求項２】
請求項１に記載の支持装置において、１個のアクチュエータ装置によって少なくとも１個の支持要素が制御されることを特徴とする支持装置。
【発明の詳細な説明】
【０００１】
本発明は、連続運転方式の熱処理炉で処理される材料の支持装置に関するものである。本発明では、材料支持は処理炉の外側にある支持要素によって実行される。
【０００２】
フィンランド特許第67,726号から、熱処理炉で使用される材料支持装置が知られている。これによれば、冷却ロールの周囲には、実質的に小径の少なくとも２個の冷却ロールが配置される。支持装置として機能する大径のロールは、熱処理炉の外部、あるいは２個の連続した熱処理炉の間に設置されていて、ある時点においてその周囲に位置する１個の小径ロールによって材料は完全に支持される。大径ロールの周囲に位置する小径ロールは、支持される材料と等しい周速で回転する。一方、周囲に配置された各ロールの相対位置は、大径ロールに接続されたアクチュエータ装置によって調整可能である。
【０００３】
フィンランド特許第67,726号に記載の支持装置では、大径ロールの周囲に位置するロールは、支持される材料のみによって回転するものである。したがって、支持される材料には、きわめて表面破損が生じやすい。これは、ロールと支持される材料との速度差のためであり、ロールが支持位置に移動し、またはそこから離脱する工程において破損が生じやすい。
【０００４】
本発明は、従来技術の欠点のいくつかを排除し、熱処理炉で処理される材料用の改善された支持装置を実現することを目的とする。本発明によれば、支持要素は、支持される材料からの協働効果に頼ることなく回転可能である。
【０００５】
本発明の実質的な新規構成要件は、添付の特許請求の範囲から明らかである。
【０００６】
本発明による材料支持装置では、連続運転方式の熱処理炉において使用され、同一の支持部材に対して有利に支持される少なくとも２個の支持要素が存在する。これらの支持要素は、互いから最も離れている部分が同一円周上に位置するよう、前記支持部材に対して対称的に配置されている。さらに支持部材は、その軸を中心として回転することにより、支持位置に配置された支持要素と交換位置に有利に配置されていた他の支持要素とが位置を有利に交代するよう、設置されている。また支持要素の周囲には、支持要素の相互位置が交換される間も、連続運転方式の熱処理炉で処理される材料を少なくとも部分的に支持する手段が配備されている。本発明によれば、支持要素はアクチュエータ装置を有し、これによれば支持要素は支持される材料と機械的な接触を起こす前に回転可能である。アクチュエータ装置によれば、支持要素の回転は、支持される材料に対する支持位置から支持要素が離れた後に停止することもできる。アクチュエータ装置の有利な運転を実現するため、支持要素は少なくとも１個の回転支持部材を有し、この部材は支持要素を支持位置から離すことなく交換可能である。
【０００７】
本発明による材料支持装置では、各支持要素に有利に接続されたアクチュエータ装置が存在し、これによって、その支持要素には、支持される材料の移動速度と実質的に等しい周速が得られる。支持位置にある支持要素が、支持される材料の速度と実質的に等しい速度で動作する場合、支持される材料にはより良好な表面品質が得られる。なぜなら、速度差を原因とする支持要素の発熱が生じないからである。したがって、支持要素自体も、速度差を原因として起こる損傷を受けない。
【０００８】
本発明によれば、支持要素は交換位置から支持位置へ移動し始めるのと実質的に同時にアクチュエータ装置によって回転し始める。そして、支持要素が支持位置へ到達する時に、支持要素の周速は支持される材料の移動速度と実質的に等しくなり、これと実質的に同時に、支持要素と支持される材料とが機械的に接触する。アクチュエータ装置によって生成される支持要素の周速は、支持要素が支持位置にある間、前記アクチュエータ装置によって維持可能であるが、アクチュエータ装置はスイッチオフしてもよく、その場合、支持要素は、支持される材料から与えられる周速のみによって回転可能である。支持要素が支持位置にある間にアクチュエータ装置をスイッチオフした場合、アクチュエータ装置は、支持要素を支持位置から離す前に、再度スイッチオンすることもでき、これによって支持要素は、支持要素の周速と支持される材料の移動速度との速度差がない状態で支持位置から離れることができる。
【０００９】
本発明による支持装置では、所要の場合、同一のアクチュエータ装置によって複数の支持要素を有利に制御することもでき、これによって有利な周速を生成できる。共通のアクチュエータ装置は、例えば２個の支持要素を有する支持装置に適用可能であり、一方の要素を支持位置に配し、他方の要素を交換位置に配すれば、両方の支持要素にアクチュエータ装置を使用する必要がなくなる。交換開始時、両方の支持要素は実質的に同時に回転し始め、一方の支持要素が支持位置から離れると、他方の支持要素が支持位置に入り、両方の支持要素は、支持される材料に対して所要の周速で回転する。交換が完了すると、支持要素のアクチュエータ装置は再び運転を停止し、支持位置にある支持要素は支持される材料によって生成される速度で回転する。一方、交換位置にある支持要素は停止するため、当該支持要素の交換が可能となる。
【００１０】
本発明による支持装置の支持要素に対してアクチュエータ装置を使用し、これによって支持要素の周速を支持される材料の移動速度と実質的に等しくなるよう、理想的に調節可能とすれば、支持要素自体の耐用年数も延長される。なぜなら、もはや、支持要素が支持位置にある時には、支持される材料と支持要素との速度差から生じる発熱によって支持要素の表面に生じうる損傷は、回避されているからである。
【００１１】
本発明によれば、アクチュエータ装置を有効に利用するため、支持要素はさらに、少なくとも１個の回転支持部材、すなわち軸受けを備えている。これによれば、支持要素を他の要素へ交換することも、従来技術に比較して実質的に迅速に実行可能である。支持要素に接続された軸受けは締結要素を有し、これは、ロック位置から軸受け交換位置まで回転可能に取り付けられている。支持要素の締結要素は、同時に、軸受けハウジングの一部を構成する。このように、軸受けを交換すべき場合は締結要素のロックを開放し、締結要素を交換位置まで回転することにより、軸受けを除去して新たなものに交換可能である。回転可能な締結要素によれば、軸受けの交換が有利に迅速に行われ、軸受けの交換によって熱処理プロセスに生じる中断はごく短時間で済む。なぜなら、軸受けの交換は支持要素が支持位置にある間に実行可能だからである。さらに、支持要素にもたらされる冷却効果により、軸受けの耐用年数も延長される。なぜなら、軸受けは一定の温度下でより長い寿命を有するからである。軸受けシステムにより、支持要素に接続されたアクチュエータ装置、およびこれによって生じる支持要素の周速も、必要に応じて維持調節可能である。
【００１２】
本発明を添付図面を参照してより詳細に説明する。
【００１３】
図１および図２によれば、熱処理炉１で処理される材料２の支持装置３の支持構体４には、モータ５が取り付けられていて、これは鎖伝動機構６によって支持要素７に接続されている。支持要素７の周囲には軸受け８も設置されていて、これはそのロック位置に締結要素９によって締結されている。締結要素９はさらに、軸受け８に対し、軸受け８と締結要素９との間に備えられた軸10によって、その交換位置まで回転できるように取り付けられている。
【図面の簡単な説明】
【図１】  本発明の好適な実施例を示す側面図である。
【図２】  図１に示す実施例の詳細を示す側面図である。
【図１】
0005093952.tif 000002
【図２】
0005093952.tif 000003